(57)【要約】【課題】紙を二つ折り処理する紙折り装置において、仕上がり品位の向上を図る。【解決手段】紙折り時に紙Ｐの折曲げ中心を支えるストッパープレート１３に溝１３ａを設け、溝をプッシュプレート１１の先端に対向させる。紙テーブル１４上の紙の中央をプッシュプレートが押してストッパープレートへ押しつけたときに、紙を綴じているステープルＳが溝に係合し、折曲げ中心が所定の位置に保持される。左右のクランプブロック１２が閉じて紙の折曲げ部位をクランプし、ストッパープレートが横へ退避した後に転動ローラがクランプ部位を押し潰して冊子の背を成形する。ステープルがストッパープレート１３上で右や左にずれることがなく、製本後の冊子の背の中央にステープルが位置した見栄えのよい冊子を製本することができる。【選択図】  図１
2004168012.tif 000002
【特許請求の範囲】
【請求項１】
紙の表面の中央をストッパープレートへ向けて押圧するプッシュブレードと、プッシュブレード及び紙を受けるストッパープレートとを備え、１セットの紙を二つ折りにして冊子を成形する紙折り装置において、
ストッパープレートの表面に溝を形成し、前記溝をプッシュブレードの先端に対向させ、プッシュブレードが紙をストッパープレートへ押しつける際に、紙の中央を綴じているステープルが溝に係合するように形成したことを特徴とする紙折り装置。
【請求項２】
上記プッシュブレードの先端面に凹部を形成し、プッシュブレードが紙をストッパープレートへ押しつける際に、紙を綴じているステープルへプッシュブレードが接触しないように形成した請求項１記載の紙折り装置。
【請求項３】
上記紙の折曲げ部位を両側から挟圧する手段と、ストッパープレートの移動手段と、前記折曲げ部位の先端面へ圧接及び離反するプレス手段を備え、紙挟圧手段による紙挟圧工程後にストッパープレートを紙の折曲げ部位から退避させ、プレス手段により紙の折曲げ部位をプレスして冊子の背を成形するように構成した請求項１記載の紙折り装置。
【請求項４】
上記ストッパープレートの溝の少なくとも一方の側壁面が斜面であり、紙挟圧工程後のストッパープレートの横方向への移動を許容するように形成した請求項３記載の紙折り装置。
【発明の詳細な説明】
【０００１】
【発明の属する技術分野】
この発明は、中綴じされた紙を二つ折りプレスする紙折り装置に関するものであり、特に、仕上がりの向上を図った紙折り装置に関するものである。
【０００２】
【従来の技術及び発明が解決しようとする課題】
複数枚の紙を二つ折りにして小冊子を形成する紙折り装置として、紙の折曲げ部位をローラによりプレスして冊子の背を角型に成形する方法および装置が提案されている（特許文献１参照）。図８はこの種の装置を示し、用紙テーブル１上にセットされた紙Ｐの中心を昇降式のブレード２により下方へ押して、図９に示すように紙Ｐの中心を停止板３へ押しつけ、図１０に示すように紙Ｐの折曲げ部位を一対のクランピングジョー４により左右からクランプした後に停止板３を退避させ、一対のクランピングジョー４の間から下方へ突出している紙Ｐの先端をローラ５により押し潰して冊子の背を角型に成形する。
【０００３】
しかしながら、ステープルにより中心を綴じた紙をプレス処理する場合は、図９及び図１１に示すようにブレード２が紙Ｐの中心を停止板３に向けて押したときにステープルＳが停止板３に当たり、さらに押しつけ荷重が上昇したときにステープルＳがブレード２の左または右に逃げて紙Ｐの中心がブレード２からずれてしまう。したがって、図１２（ａ）  に示すように冊子６を綴じている二個のステープルＳが冊子の背の中央から右または左へずれたり、図１２（ｂ）に示すように上下二個のステープルＳが右と左へ千鳥状にずれたりして見栄えが悪く、冊子の開き側の縁も不揃いになってしまうという問題がある。そこで、ステープルが冊子の背の中央に整列するようにして製本された冊子の外観を改善するために解決すべき技術的課題が生じてくるのであり、本発明は上記課題を解決することを目的とする。
【０００４】
【特許文献１】特開２００１−２６０５６４号公報
【０００５】
【課題を解決するための手段】
この発明は、上記目的を達成するために提案するものであり、紙の表面の中央をストッパープレートへ向けて押圧するプッシュブレードと、プッシュブレード及び紙を受けるストッパープレートとを備え、１セットの紙を二つ折りにして冊子を成形する紙折り装置において、ストッパープレートの表面に溝を形成し、前記溝をプッシュブレードの先端に対向させ、プッシュブレードが紙をストッパープレートへ押しつける際に、紙の中央を綴じているステープルが溝に係合するように形成したことを特徴とする紙折り装置を提供するものである。
【０００６】
また、上記プッシュブレードの先端面に凹部を形成し、プッシュブレードが紙をストッパープレートへ押しつける際に、紙を綴じているステープルへプッシュブレードが接触しないように形成した紙折り装置を提供するものである。
【０００７】
また、上記紙の折曲げ部位を両側から挟圧する手段と、ストッパープレートの移動手段と、前記折曲げ部位の先端面へ圧接及び離反するプレス手段を備え、紙挟圧手段による紙挟圧工程後にストッパープレートを紙の折曲げ部位から退避させ、プレス手段により紙の折曲げ部位をプレスして冊子の背を成形するように構成した紙折り装置を提供するものである。
【０００８】
また、上記ストッパープレートの溝の少なくとも一方の側壁面が斜面であり、紙挟圧工程後のストッパープレートの横方向への移動を許容するように形成した紙折り装置を提供するものである。
【０００９】
【発明の実施の形態】
以下、この発明の実施の一形態を図に従って詳述する。図１は紙折り装置の機構配置を示し、１１はプッシュブレード、１２はクランプブロック、１３は紙の折曲げ箇所を支えるストッパープレートであり、１４は紙テーブルである。プッシュブレード１１はモータ（図示せず）により昇降駆動され、紙テーブル１４上の紙Ｐの中央を下方へ押してストッパープレート１３へ押しつける。一対のクランプブロック１２はモータ（図示せず）により水平に開閉駆動され、プッシュブレード１１によりクランプブロック１２の間へ送込まれた紙Ｐを二つ折りの状態にクランプする。クランプブロック１２の下に配置したストッパープレート１３は、図１に示す初期位置と鎖線で示す右退避位置とへスライドモータ（図示せず）により往復移動される。
【００１０】
図１及び図２に示すようにストッパープレート１３の表面にはＶ形の溝１３ａを設けており、初期位置においてストッパープレート１３の溝１３ａはプッシュブレード１１の下降方向延長線上に位置してプッシュブレード１１の先端に対向している。溝１３ａの幅はステープルＳの線径に近く、紙折り工程においてステープルＳが溝１３ａに係合することによりステープルＳ及び紙Ｐの左右移動を規制するようにしている。尚、溝１３ａはステープルＳの数と位置に合わせて局所的に形成してもよく、ストッパープレート１３の長手方向（紙面に向かって前後方向）の全長に亘って設けてもよい。
【００１１】
図１は、電動ステープラにより中央をステープルで綴じた１セットの紙が送り機構により紙テーブル１４上へ送られた状態を示し、制御機構により送り量が制御されて紙Ｐの中央がプッシュブレード１１と一致した位置で紙Ｐが停止する。続いて、図３および図４に示すようにプッシュブレード１１が下降して、紙Ｐの中央をストッパープレート１３へ押しつける。このとき、紙Ｐを綴じているステープルＳが溝１３ａ内に入って紙Ｐの中心がプッシュブレード１１の位置と一致した状態で固定され、左右のクランプブロック１２が閉じて紙Ｐの中心部近傍を左右からクランプする。
【００１２】
続いて、プッシュブレード１１が上昇して初期位置へ戻るとともに、図５に示すようにストッパープレート１３が右退避位置へ駆動されてクランプブロック１２の下面から退避する。このとき、溝１３ａがＶ型断面であって側壁面が斜面であるので、ステープルＳが斜面に沿ってやや上に持ち上げられ、紙Ｐの折曲げ部位が圧縮されてステープルＳが溝１３ａから外れ、ストッパープレート１３はステープルＳ及び紙Ｐの折曲げ部位を擦りながら移動するが、紙Ｐはクランプブロック１２によりクランプされているので、紙Ｐの中心即ちステープル打ち込み箇所が右または左にずれることはない。或いは、機構が複雑になるもののストッパープレート１３が一旦下降してから横へ移動するように構成してもよい。
【００１３】
そして、ストッパープレート１３の移動後に転動ローラ１５がクランプブロック１２の下面へ下方から弾接し、図において紙面の奥から手前または紙面の手前から奥へ転動し、クランプブロック１２の間から下方へ突出している紙Ｐの折曲げ部位を平坦にプレスして角型の背を成形する。
【００１４】
図６は製本された冊子１６を示し、ストッパープレート１３の溝１３ａの位置決め作用によりステープルＳが冊子１６の背の中央に位置して、見栄えの良い仕上がりとなっている。
【００１５】
また、図７に示すようにプッシュブレード１１の先端にステープルＳへの接触を避けるための凹部１１ａを形成することにより、ステープルＳへ直接に圧力がかかることがなくなり、ステープルＳが溝１３ａを支点としてストッパープレート１３上で右または左に傾く虞が減少し、姿勢保持の安定性がさらに向上する。
【００１６】
尚、この発明は上記の実施形態に限定するものではなく、この発明の技術的範囲内において種々の改変が可能であり、この発明がそれらの改変されたものに及ぶことは当然である。
【００１７】
【発明の効果】
以上説明したように、本発明の紙折り装置は、紙折り時に紙の折曲げ中心を支えるストッパープレートに溝を設け、紙を綴じているステープルが溝に係合するように構成したので、紙の中央を綴じているステープルの位置が折曲げ中心からずれることがなく、製本された冊子の背の中央にステープルが位置し、各ページの縁が揃った見栄えのよい仕上がりが得られる。
【００１８】
また、紙の中心を押して二つ折り状態でストッパープレートへ押しつけるプッシュブレードの先端面に凹部を形成し、紙を綴じているステープルにプッシュブレードが直接接触しないようにすることにより、ステープルがプッシュブレードに押されてストッパープレート上で左右いずれかに傾斜する虞が解消され、製本仕上がりの安定性がさらに向上する。
【００１９】
また、溝の側壁面の少なくとも一方を斜面とすることにより、紙クランプ後にストッパープレートが横へ退避する際にステープルと溝との係合が外れやすくなり、紙の位置がずれたりステープルが外れたりする虞もなくなる。
【図面の簡単な説明】
【図１】本発明の実施の一形態を示し、紙折り装置の正面図。
【図２】ストッパープレートの正面図。
【図３】図１の紙折り装置の動作行程を示す正面図。
【図４】ストッパープレートの作用を示す図３の部分拡大図。
【図５】図１の紙折り装置の動作行程を示す正面図。
【図６】図１の紙折り装置により製本された冊子の斜視図。
【図７】プッシュブレードの側面図。
【図８】従来例を示し、紙折り装置の正面図。
【図９】図８の紙折り装置の動作行程を示す正面図。
【図１０】図８の紙折り装置の動作行程を示す正面図。
【図１１】図９の部分拡大図。
【図１２】（ａ）（ｂ）はそれぞれ図８の紙折り装置により製本された冊子の斜視図。
【符号の説明】
１１          プッシュブレード
１２          クランプブロック
１３          ストッパープレート
１４          紙テーブル
１５          転動ローラ
１６          冊子
Ｐ            紙
Ｓ            ステープル
【図１】
2004168012.tif 000003
【図２】
2004168012.tif 000004
【図３】
2004168012.tif 000005
【図４】
2004168012.tif 000006
【図５】
2004168012.tif 000007
【図６】
2004168012.tif 000008
【図７】
2004168012.tif 000009
【図８】
2004168012.tif 000010
【図９】
2004168012.tif 000011
【図１０】
2004168012.tif 000012
【図１１】
2004168012.tif 000013
【図１２】
2004168012.tif 000014